(57)【要約】【課題】  記録媒体に記録した情報の再生時において、著作権の問題無しにデータ部分を利用することを可能とする。【解決手段】  チューナ２が受信したデジタル放送信号に対して各種の信号処理を行う信号処理回路３のデータ情報抽出部３ａは、チューナ２を介して受信したデジタル放送信号からデジタルのデータ信号を分離抽出してデータ処理部３ｂに出力し、データ処理部３ｂは、受け取ったデジタルのデータ信号を必要に応じて処理して記録回路４に出力し、映像・音声処理部３ｃは、データ情報抽出部３ａを介して受け取ったデジタル放送信号の映像及び音声信号を一旦アナログの映像及び音声信号に変換するとともに、変換したアナログの映像及び音声信号を再びデジタル信号に変換して記録回路４に出力することで、従来は記録時に切り捨てられていた映像及び音声以外のデータ信号もＤＶＤ５に記録する。【選択図】  図１
2005159854.tif 000002
【特許請求の範囲】
【請求項１】
受信したデジタル放送信号をアナログの映像信号及び音声信号に変換するするとともに、変換したアナログの映像信号及び再生信号を再度デジタルの映像信号及び音声信号に変換する信号処理手段と、
デジタル信号に変換された映像信号及び音声信号をＭＰＥＧ形式で圧縮して記録媒体に記録する記録手段とを備えており、
前記信号処理手段は、受信したデジタル放送信号から電子番組ガイド情報、文字放送による文字情報、番組の内容を示す情報などのデジタルデータ信号を分離して前記記録手段に入力し、前記記録手段は、入力されたデジタルデータ信号を、デジタル信号に変換された前記映像信号及び音声信号とともにＭＰＥＧ形式で圧縮して前記記録媒体に記録する一方、
前記信号処理手段で分離されたデジタルデータ信号の情報の中から所望する情報だけを選択する選択手段をさらに備えており、
前記記録手段は、前記選択手段でデジタルデータ信号の情報の中から任意の情報だけが選択された場合には、その選択された情報のデジタルデータ信号のみを前記映像信号及び音声信号とともにＭＰＥＧ形式で圧縮して前記記録媒体に記録することを特徴とする情報記録装置。
【請求項２】
受信したデジタル放送信号を一旦アナログの映像信号及び音声信号に変換するとともに、変換したアナログの映像信号及び再生信号を再度デジタルの映像信号及び音声信号に変換する信号処理手段と、
デジタル信号に変換された映像信号及び音声信号を所定の圧縮形式で圧縮して記録媒体に記録する記録手段とを備えており、
前記信号処理手段は、受信したデジタル放送信号からデジタルデータ信号を分離して前記記録手段に入力し、前記記録手段は、入力されたデジタルデータ信号を、デジタル信号に変換された前記映像信号及び音声信号とともに所定の圧縮形式で圧縮して前記記録媒体に記録することを特徴とする情報記録装置。
【請求項３】
前記信号処理手段で分離されたデジタルデータ信号の情報の中から所望する情報だけを選択する選択手段をさらに備えており、前記記録手段は、前記選択手段で選択されたデジタルデータ信号のみを、デジタル信号に変換された前記映像信号及び音声信号とともに所定の圧縮形式で圧縮して前記記録媒体に記録することを特徴とする請求項２に記載の情報記録装置。
【請求項４】
前記デジタルデータ信号の情報が、電子番組ガイド情報、文字放送による文字情報、番組の内容を示す情報などであることを特徴とする請求項３に記載の情報記録装置。
【発明の詳細な説明】
【技術分野】
【０００１】
本発明は、受信したデジタル放送信号をアナログの映像信号及び音声信号に変換する信号処理手段と、変換したアナログの映像信号及び音声信号を再びデジタル信号に変換して記録媒体に記録する記録手段とを備えた情報記録装置に関する。
【背景技術】
【０００２】
現在、ＢＳデジタル放送やＣＳデジタル放送が開始されており、地上波デジタル放送も間近に迫っている。デジタル放送の良さは、映像や音声が綺麗であること以上に、データ放送が行われているところにもある。データ放送は、ＥＰＧ（電子番組ガイド）や文字放送、番組内容等、視聴者にとって有益なものが多い。
【０００３】
しかし、現在の情報記録装置（録画機器）は著作権の問題を考慮し、Ｄ−ＶＨＳを除いてデジタル放送がそのまま録画できないようになっている。
【０００４】
すなわち、現在の情報記録装置である例えばＤＶＤ装置（ＤＶＤレコーダ）は、受信したデジタル放送信号をアナログの映像信号及び音声信号に変換する信号処理手段と、変換したアナログの映像信号及び音声信号を再びデジタル信号に変換して記録媒体に記録する記録手段とを備えた構成となっている。
【０００５】
因みに、著作権を考慮してコピーを禁止する技術として、例えば特許文献１，２等がある。
【特許文献１】特開平１０−９３９１４号公報
【特許文献２】特開２００２−７７７６１号公報
【発明の開示】
【発明が解決しようとする課題】
【０００６】
このように、現在の情報記録装置では、デジタル放送信号を記録媒体にせっかく記録しても、デジタルの映像信号と音声信号を一旦アナログ信号に変換しているため、その変換時点で、同様に送信されてくるデジタルのデータ情報が切り捨てられ、記録媒体には記録されない。そのため、データ放送の内容は、その番組を受信しているときしか参照できない。
【０００７】
すなわち、記録媒体に記録した例えばドラマ等の番組を再生しているときには、その番組に関連付けて送られてきたデータ情報が記録媒体には記録されていないため参照することができず、デジタル放送のメリットが十分に生かされていないといった問題があった。このデータ放送部分は、基本的には著作権に抵触する部分ではないため、再生時にも参照できれば便利な場合が多い。
【０００８】
本発明はかかる問題点を解決すべく創案されたもので、その目的は、記録媒体に記録した情報の再生時において、著作権の問題無しにデータ部分を利用することのできる情報記録装置を提供することにある。
【課題を解決するための手段】
【０００９】
上記課題を解決するため、本発明の情報記録装置は、受信したデジタル放送信号を一旦アナログの映像信号及び音声信号に変換するとともに、変換したアナログの映像信号及び再生信号を再度デジタルの映像信号及び音声信号に変換する信号処理手段と、デジタル信号に変換された映像信号及び音声信号を所定の圧縮形式で圧縮して記録媒体に記録する記録手段とを備えており、前記信号処理手段は、受信したデジタル放送信号からデジタルデータ信号を分離して前記記録手段に入力し、前記記録手段は、入力されたデジタルデータ信号を、デジタル信号に変換された前記映像信号及び音声信号とともに所定の圧縮形式で圧縮して前記記録媒体に記録することを特徴とする。すなわち、映像信号や音声信号は一旦アナログ信号に変換して記録し、データ信号はそのままデジタル信号で記録する情報記録装置を提供することができる。
【００１０】
この場合、前記信号処理手段で分離されたデジタルデータ信号の情報の中から所望する情報だけを選択する選択手段をさらに備えており、前記記録手段は、前記選択手段で選択されたデジタルデータ信号のみを、デジタル信号に変換された前記映像信号及び音声信号とともに所定の圧縮形式（ＭＰＥＧ形式）で圧縮して前記記録媒体に記録するようにしてもよい。ここで、前記デジタルデータ信号の情報は、ＥＰＧ（電子番組ガイド）情報、文字放送による文字情報、番組の内容を示す番組情報などである。また、番組情報としては、番組のタイトル、放送日時、出演者、話のあらすじ等の情報が含まれている。
【発明の効果】
【００１１】
本発明の情報記録装置によれば、記録媒体に記録したデジタル情報を再生するとき、同じ記録媒体から例えば番組のタイトル、出演者、あらすじ等のデータを呼び出すことができるので、ユーザにとっては現在視聴している番組の内容等の情報を必要に応じて参照することができるといった利点がある。また、記録媒体に記録した情報が文字放送を行っている番組であった場合、その文字放送の情報が同じ記録媒体に記録されているので、耳の不自由な人が記録媒体に記録した番組を再生して視聴するときでも、その番組にリンクした文字情報をモニタ画面に表示することができるといった利点がある。
【発明を実施するための最良の形態】
【００１２】
以下、本発明の実施形態について、図面を参照して説明する。
【００１３】
図１は、本実施形態の情報記録装置の一例であるＤＶＤ装置の概略ブロック図を示している。
【００１４】
本実施形態のＤＶＤ装置１は、映像及び音声に関するデジタル信号を記録媒体であるＤＶＤ５に記録し、その記録されたデジタル信号を再生し、装置外部に接続されたＴＶモニタ装置２０に出力する情報記録再生装置である。
【００１５】
このＤＶＤ装置１は、デジタル放送信号をアンテナ２ａを介して受信するチューナ２と、チューナ２が受信したデジタル放送信号に対して本発明に係わる各種の信号処理（これについては後述する）を行う信号処理回路３と、信号処理回路３から出力された映像及び音声のデジタル信号及びデータ情報のデジタル信号を関連付けてＭＰＥＧ形式でエンコードするＭＰＥＧエンコード部４ａを有する記録回路４と、記録回路４のＭＰＥＧエンコード部４ａによって圧縮された映像・音声信号及びこれに関連付けられたデータ信号を記録する記録媒体であるＤＶＤ（Digital Versatile Disc）５と、ＤＶＤ５に記録された映像・音声信号及びデータ信号を読み出すとともに伸長して元のデジタル信号に復号するＭＰＥＧデコード部６ａを有する再生回路６と、復号したデジタルの映像・音声信号をアナログの映像・音声信号に変換するとともに、デジタルのデータ信号をアナログの信号に変換してＴＶモニタ装置２０に出力するビデオデコーダ７とを備えている。
【００１６】
また、ＤＶＤ装置１は、装置各部の制御を司るマイコン１１と、マイコン１１の動作プログラムを記憶する不揮発性のメモリ１２と、リモコン装置１８から送信された各種指令に対応する赤外線信号を受光し、これを電気信号に変換してマイコン１１に伝達する受光回路１４とを備えている。
【００１７】
信号処理回路３は、データ情報抽出部３ａと、データ処理部３ｂと、映像・音声処理部３ｃとを備えている。
【００１８】
データ情報抽出部３ａは、チューナ２を介して受信したデジタル放送信号からデジタルのデータ信号（以下、「データ情報」という。）を分離抽出し、データ処理部３ｂに出力する。データ処理部３ｂは、受け取ったデジタルのデータ情報を必要に応じて処理して記録回路４に出力する。映像・音声処理部３ｃは、データ情報抽出部３ａを介して受け取ったデジタル放送信号の映像及び音声信号を一旦アナログの映像及び音声信号に変換するとともに、変換したアナログの映像及び音声信号を再びデジタル信号に変換して記録回路４に出力する。
【００１９】
なお、ＤＶＤ５に記録されるデータ情報は、映像・音声信号（以下「映像・音声情報」という。）とは別の領域に記録する。このデータ情報は、必要に応じて映像・音声情報とは別にＤＶＤ５から取り出せるようにしておく。これにより、映像及び音声情報の再生中であっても、視聴者は必要に応じて関連するデータ情報をＤＶＤ５から再生し、ＴＶモニタ装置２０に表示することができる。
【００２０】
ここで、データ情報抽出部３ａで分離抽出されるデジタルのデータ情報は、定期的に送信されてくるＥＰＧ（電子番組ガイド）情報、文字放送の場合にＴＶモニタ装置２０に表示される文字情報、番組の内容を示す番組情報などである。また、番組情報としては、番組のタイトル、放送日時、出演者、話のあらすじ等の情報が含まれている。
【００２１】
このように、本実施形態のＤＶＤ装置１では、記録時に従来切り捨てられていた映像及び音声以外のデータ情報も記録媒体であるＤＶＤ５に記録するようにしている。これにより、ＤＶＤ５に記録された情報（番組）を再生しているときに、データ情報であるその番組のタイトル、出演者、内容（あらすじ）等の情報を再生して参照することができるので、視聴者にとっては極めて便利である。
【００２２】
これらのデータ情報は、送信されてきた全てのデータ情報をそのままＤＶＤ５に記録するようにしてもよいし、また、視聴者の選択操作により任意に選択された情報だけをＤＶＤ５に記録するようにしてもよい。
【００２３】
次に、送信されてきたデータ情報の中から視聴者が記録したい情報を選択する操作の一実施例について説明する。
【００２４】
選択操作は、本実施例ではリモコン装置１８を用いて行う。
【００２５】
すなわち、リモコン装置１８の図示しない選択ボタンが操作されると、ＴＶモニタ装置２０の画面に図２に示すような設定画面が表示される。
【００２６】
この例では、「全て」、「文字放送」、「番組内容」、「キャンセル」の４つの項目が表示されている。視聴者は、これら４つの項目から、記録したい項目欄にチェックを入れ、画面下の「登録」ボタンを押す。これにより、記録したいデータ情報の種類（すなわち、チェックを入れた項目の情報）が例えばメモリ１２に登録される。マイコン１１は、番組等を記録する際に、この登録されたデータ情報の種類を判別し、登録されている種類と一致するデータ情報のみをＤＶＤ５に記録し、一致しないデータ情報は従来通り切り捨てて記録しないように信号処理回路３を制御する。例えば、「番組内容」の項目欄にのみチェックが入っている場合には、送信されてきた種々のデータ情報のうち番組内容の情報だけをＤＶＤ５に記録することになる。
【００２７】
なお、上記実施例では選択項目が４項目だけとなっているが、これらの項目はあくまで一例であり、これらの項目に限定されるものではない。すなわち、送信されてくるデータ情報の種類が判別できる限り、選択項目を増やすことが可能である。
【図面の簡単な説明】
【００２８】
【図１】本発明の情報記録装置の一実施形態であるＤＶＤ装置のブロック図である。
【図２】送信されてきたデータ情報の中から視聴者が記録したい情報を選択する操作の一実施例を説明するための設定画面例を示す説明図である。
【符号の説明】
【００２９】
１  ＤＶＤ装置
２  チューナ
３  信号処理回路
３ａ  データ情報抽出部
３ｂ  データ処理部
３ｃ  映像・音声処理部
４  記録回路
４ａ  ＭＰＥＧエンコード部
５  ＤＶＤ
６  再生回路
６ａ  ＭＰＥＧデコード部
７  ビデオデコーダ
１１  マイコン
１２  メモリ
１４  受光回路
１８  リモコン装置
２０  ＴＶモニタ装置
【図１】
2005159854.tif 000003
【図２】
2005159854.tif 000004